(57)【要約】      （修正有）【課題】目地プレートの動きが制限することなく、目地プレートの取り付け部分を確実に覆うことができる目地装置を提供する。【解決手段】左右の躯体間の目地部２を塞ぐ目地装置１であって、前記左右の躯体にそれぞれヒンジ部材５を介して設けられ、複数個の枢支部６を有するリンク部材７と、左右一対の端部目地プレート８と、目地プレート９と、カバー部材１０とで構成され、左右の躯体に設けられた硬質の固定カバー部材１３と、その内方にその可動端部が入り込むように設けられた硬質の可動カバー部材１４とから成り、端部目地プレート８が回動した場合であっても可動端部が入り込んだ状態を維持できる形状に形成する。【選択図】図２
2018031149.tif 000002
【特許請求の範囲】
【請求項１】
左右の躯体間の目地部を塞ぐ目地装置であって、前記左右の躯体にそれぞれヒンジ部材を介して設けられ、複数個の枢支部を有するリンク部材と、該リンク部材の左右端部の枢支部又は前記ヒンジ部材のいずれかに取り付けられた左右一対の端部目地プレートと、該左右一対の端部目地プレートの間に少なくとも１つ設けられた目地プレートと、前記ヒンジ部材が前記目地部の外方側に露出しないようにカバーするカバー部材とで構成され、前記カバー部材は、前記左右の躯体に設けられた硬質の固定カバー部材と、該固定カバー部材の内方にその可動端部が入り込むように前記左右一対の端部目地プレートにそれぞれ設けられた硬質の可動カバー部材とから成り、前記可動カバー部材は、ヒンジ部材を支点に端部目地プレートが回動した場合であっても前記固定カバー部材の内方にその可動端部が入り込んだ状態を維持できる形状に形成されていることを特徴とする目地装置。
【請求項２】
前記可動カバー部材は、少なくともその一部が円弧状に形成されていることを特徴とする請求項１に記載の目地装置。
【請求項３】
前記固定カバー部材及び可動カバー部材は、金属で形成されていることを特徴とする請求項１又は請求項２のいずれかに記載の目地装置。
【発明の詳細な説明】
【技術分野】
【０００１】
本発明は目地部を介して設けられた躯体の間の目地部を塞ぐ目地装置に関する。
【背景技術】
【０００２】
従来、天井間や壁面間の目地部を薄板の目地プレートで塞ぐ目地装置としては、「目地部を介して建てられた左右の建物の目地部側躯体にそれぞれヒンジ部材を介して取付けられた一方の目地カバーおよび他方の目地カバーを用いた目地部を伸縮可能に覆う壁用目地装置において、前記一方の目地カバーおよび他方の目地カバーの後端部にそれぞれ取付けられた可動側止水シート受けレールと、この可動側止水シート受けレールと対応する部位の左右の目地部側躯体に取付けられた固定側止水シート受けレールと、この固定側止水シート受けレールと前記可動側止水シート受けレールに両端部がシート押えを用いて取付けられた該固定側止水シート受けレールと可動側止水シート受けレール間の寸法が変化しても吸収することができる長さの止水シートと、前記固定側止水シート受けレールと前記左右の目地部側躯体間に充填されたシール剤とを用いたことを特徴とする壁用目地装置。」が知られている（例えば特許文献１）。
【０００３】
このような目地装置では、左右の躯体にヒンジ部材で固定し、そのヒンジ部材を覆うようにゴム製の止水シート等でシールしている。しかし、このような止水シートは、とても薄いためカッターナイフ等で簡単に切ることができ、目地プレートの取り付け部分が簡単に露出してしまうため、セキュリティに欠点があった。
【０００４】
また、ヒンジ部材をシール剤で覆うことも考えられるが、目地プレートの動きが制限されてしまったり、経年劣化によってヒビ割れ等が生じるという欠点があった。
【先行技術文献】
【特許文献】
【０００５】
【特許文献１】特開２００９−５７６９７公報
【発明の概要】
【発明が解決しようとする課題】
【０００６】
本発明は以上のような従来の欠点に鑑み、目地プレートの動きが制限することなく、目地プレートの取り付け部分を確実に覆うことができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の目地装置は、左右の躯体間の目地部を塞ぐ目地装置であって、前記左右の躯体にそれぞれヒンジ部材を介して設けられ、複数個の枢支部を有するリンク部材と、該リンク部材の左右端部の枢支部又は前記ヒンジ部材のいずれかに取り付けられた左右一対の端部目地プレートと、該左右一対の端部目地プレートの間に少なくとも１つ設けられた目地プレートと、前記ヒンジ部材が前記目地部の外方側に露出しないようにカバーするカバー部材とで構成され、前記カバー部材は、前記左右の躯体に設けられた硬質の固定カバー部材と、該固定カバー部材の内方にその可動端部が入り込むように前記左右一対の端部目地プレートにそれぞれ設けられた硬質の可動カバー部材とから成り、前記可動カバー部材は、ヒンジ部材を支点に端部目地プレートが回動した場合であっても前記固定カバー部材の内方にその可動端部が入り込んだ状態を維持できる形状に形成されていることを特徴とする。
【発明の効果】
【０００９】
以上の説明から明らかなように、本発明にあっては次に列挙する効果が得られる。
（１）請求項１に記載の発明においては、ヒンジ部材を覆うカバー部材が設けられているので、目地プレート等を取付けるヒンジ部材が外方に露出することを防止できる。
したがって、常時ヒンジ部材がカバーすることができ、ヒンジ部材を分解することによって目地装置を除去し、目地部の内方に何者かが侵入することを防止でき、セキュリティを向上させることができる。
（２）また、このカバー部材は、左右の躯体に設けられた硬質の固定カバー部材と、固定カバー部材と固定カバー部材の内方にその可動端部が入り込むように前記左右一対の端部目地プレートに設けられた硬質の可動カバー部材とから成り、可動カバー部材は、ヒンジ部材を支点に端部目地プレートが回動した場合であっても固定カバー部材の内方にその可動端部が入り込んだ状態を維持できるので、地震によって左右の躯体が揺れ動き、ヒンジ部材を支点に目地プレート等が回転しても、ヒンジ部材が外部に露出することを防止できるとともに、カバー部材が破損等することを防止することができる。
（３）請求項２に記載の発明においても前記（１）〜（２）の効果を得られるとともに、可動カバー部材は、少なくともその一部が弧状に形成されているため、ヒンジ部材を支点に端部目地プレートが回動した場合であっても固定カバー部材とより隙間なく当接した状態を維持することができる。
（４）請求項３に記載の発明においても前記（１）〜（３）の効果を得られる。
【図面の簡単な説明】
【００１０】
図１乃至図７は本発明の第１の実施形態を示す説明図である。
図８乃至図１２は本発明の第２の実施形態を示す説明図である。
【図１】第１の実施形態の目地装置の正面図。
【図２】図１の２−２線に沿う断面図。
【図３】目地プレート取付端部付近の要部説明図。
【図４】地震で目地部が狭くなった動作説明図。
【図５】地震で目地部が広くなった動作説明図。
【図６】地震で左右の躯体が異なる前後方向に揺れ動いた場合の動作説明図。
【図７】図６の要部拡大説明図。
【図８】第２の実施形態の目地装置の正面図。
【図９】図８の９−９線に沿う断面図。
【図１０】地震で目地部が狭くなった動作説明図。
【図１１】地震で目地部が広くなった動作説明図。
【図１２】地震で左右の躯体が異なる前後方向に揺れ動いた場合の動作説明図。
【発明を実施するための形態】
【００１１】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された目地装置である。
本実施の形態においては、この目地装置１は左右の躯体３、４の壁面間の目地部を塞ぐ壁面用目地装置として用いられる。
【００１２】
なお、左右方向とは図１における左右方向であり、上下方向とは図１における上下方向をいい、前後方向とは図２における上下方向をいう。目地部の外方とは、躯体の外側壁面方向（図２における下方向）であり、目地部の内方とは、躯体の内側壁面方向（図２における上方向）をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
さらに本発明において略当接したとは、接触している状態だけではなく、わずかに隙間が開いている状態をも指すものである。
【００１５】
この目地装置１は、例えば、図１及び図２に示すように、前記左右の躯体３、４の壁面３ａ、４ａにそれぞれ左右一対のヒンジ部材５を介して設けられ、複数個の枢支部６を有するリンク部材７と、前記ヒンジ部材５にそれぞれ取り付けられた左右一対の端部目地プレート８と、該左右一対の端部目地プレート８の間に設けられた目地プレート９と、前記ヒンジ部材５を覆うカバー部材１０とで構成されている。
【００１６】
前記ヒンジ部材５は、図３に示すように、本実施の形態においては、略アングル状の固定片５ａと、この固定片５ａとヒンジ部５ｂを介して接続された可動片５ｃとで構成されており、この可動片５ｃに前記リンク部材７及び端部目地プレート８が取り付けられる。
本実施の形態においては、目地プレートの高さ寸法と略同寸法の縦長のヒンジ部材５を左右に１つずつ設けているが、高さ寸法の短いヒンジ部材を左右の躯体３、４にそれぞれ複数個設けてもよい。
【００１７】
この可動片５ｃは、本実施の形態においては、先端部が略くの字状に屈曲しており、この屈曲した部位に前記端部目地プレート８が固定される。
【００１８】
なお、可動片５ｃの先端部は、カギ状、円弧状、傾斜面状に形成してもよい。
左右一対の端部目地プレート８は、本実施の形態においては、金属製の薄板で、取付端部８ａが屈曲しており、この部位が前記ヒンジ部材５に溶接、ボルト止等で固定される。
また、端部目地プレート８の突出端部８ｂは、前記目地プレート９の左右部位と互いにスライド可能に重なりあっている。地震によって左右の躯体３、４が揺れ動き、目地部が狭くなった場合であっても、端部目地プレート８の突出端部８ｂ同士が衝突しない程度の長さ寸法に形成されている。
【００１９】
この端部目地プレート８の取付端部８ａ付近には、後述する前記カバー部材１０が設けられており、かつ、ヒンジ部材５が目地部２の外方側に露出しないように略隙間なくカバーしている。このようにヒンジ部材５をカバーすることにより、ヒンジ部材５を分解して目地プレート等を外し、目地部の内方に何者かが侵入することを防止できる。
【００２０】
前記リンク部材７は、複数個の枢支部６を有するパンタグラフ状に形成されており、本実施の形態においては、上下に２つ設けられている。このリンク部材７の左右端部は、前記ヒンジ部材５の可動片５ｃに溶接、ボルト止等で固定されている。
また、このリンク部材７の中央部位の枢支部６には、枢支ピン１１によって目地プレート９が枢支されている。
【００２１】
前記目地プレート９は、金属製の薄板で、その左右部位は、前記端部目地プレート８の突出端部８ｂと重なり合っており、地震によって左右の躯体３、４が揺れ動き、目地部が広くなった場合であっても、前記端部目地プレート８と重なっている状態を維持できる程度の長さ寸法に形成されている。
【００２２】
この目地プレート９は前記左右の端部目地プレート８よりも前方（目地部２の外側）に位置する状態で前記左右の端部目地プレート８と重なり合っており、目地プレート９と左右の端部目地プレート８に常時当接するように、前記枢支ピン１１の後部側（目地部２の内側方向）に設けられたスプリング１２によって、常時目地部２の内側方向へ付勢されている。
【００２３】
カバー部材１０は、図３に示すように、左右の躯体３、４の壁面に固定された金属製の固定カバー部材１３と、該固定カバー部材１３の突出端部と略当接するように端部目地プレートの取付端部付近に設けられた金属製の可動カバー部材１４とで構成されている。
この固定カバー部材１３及び可動カバー部材１４は、本実施の形態においては金属で形成しているが、硬質の樹脂（エンジニアプラスチック等）を用いてもよい。
【００２４】
前記固定カバー部材１３は、薄板でアングル状に形成されており、突出端部が目地部２の中央側へ突出している。この突出端部は、本実施の形態においては、前記可動カバー部材１４と当接状態となっている。
【００２５】
前記可動カバー部材１４は、薄板で、その取付端部１４ａは、前記端部目地プレート８の取付端部８ａ付近に固定されている。
【００２６】
また、可動カバー部材１４は、その突出端部１４ｂが固定カバー部材１３の内方にその可動端部が入り込むように延在しており、その突出端部１４ｂは弧状に形成されている。この突出端部１４ｂは前記固定カバー部材１３の内方に入りこんだ状態で当接している。
本実施の形態においては、この円弧状の突出端部１４ｂは、図３に示すように前記ヒンジ部材５のヒンジ部５ｂから前記固定カバー部材１３の突出端部を半径として円を描いた場合の円周の軌跡Ｌと略重なるような円弧に形成している。
【００２７】
このような円弧とすることで、ヒンジ部５ｂを支点に端部目地プレート８等が回転した場合であっても、可動カバー部材１４は固定カバー部材１３の内方に入りこんだ状態で当接状態を維持できる。
【００２８】
地震で左右の躯体３、４が左右方向に揺れ動き目地部２が狭くなると、図４に示すように、左右の端部目地プレート８が目地部２の中央方向に移動して揺れ動きを吸収し、地震による揺れ動きが収まると、元の状態に自動的に戻る。
【００２９】
地震で左右の躯体３、４が左右方向に揺れ動き目地部２が広くなると、図５に示すように、左右の端部目地プレート８が離間する方向に移動して揺れ動きを吸収し、地震による揺れ動きが収まると、元の状態に自動的に戻る。
【００３０】
地震で左右の躯体３、４が異なる前後方向に揺れ動くと、図６に示すように、左右の端部目地プレート８、リンク部材７及びこのリンク部材７に枢支されている目地プレート９は、前後方向に回動し、その揺れ動きを吸収する。
【００３１】
この時、前記カバー部材１０は、図７に示すように、可動カバー部材１４の円弧状の突出端部１４ｂが固定カバー部材１３の突出端部の内方に入りこみ当接状態を維持しているため、ヒンジ部材５が外方に露出することないとともに、カバー部材１０が破損等することもなく地震による揺れ動きを吸収することができる。
【００３２】
[発明を実施するための異なる形態]
次に、図８乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３３】
図８乃至図１２に示す本発明を実施するための第２の形態において、前記本発明を実施するための第１の形態と主に異なる点は、両端部に固定されたヒンジ部材５Ａを介して左右の躯体３、４にパンタグラフ状のリンク部材７Ａを設けるとともに、このパンタグラフ状のリンク部材７Ａの左右端部の枢支部６にクランク状の端部目地プレート８Ａを固定し、この左右の端部目地プレート８Ａの間に複数個、本実施の形態においては、３個の目地プレート９Ａを設けた点で、このような目地装置１Ａにしても、前記本発明を実施するための第１の形態と同様の作用効果を得ることができる。
なお、本実施の形態においては、可動カバー部材１４の全体が円弧状に形成されている。
【００３４】
前記端部目地プレート８Ａは、略クランク状に形成されており、その取付端部付近には、カバー部材１０の可動カバー部材１４が固定されている。この端部目地プレート８Ａは目地部２の中央側へ突出するように設けられている。
【００３５】
前記目地プレート９Ａは、リンク部材７Ａの中央の枢支部６に設けられた金属製で薄板の中央目地プレート９ａと、該中央目地プレート９ａと前記端部目地プレート８Ａの間に設けられた金属製で薄板の中間目地プレート９ｂとで構成されている。
【００３６】
前記中央目地プレート９ａは、前記リンク部材７Ａの中央の枢支部６に、上下方向に延伸するバー部材１６を介して固定されており、略Ｔ字状に形成されている。
【００３７】
前記中間目地プレート９ｂは、前記リンク部材７Ａの中間枢支部６に、上下方向に延伸するバー部材１５を介して固定されており、略クランク状に形成されている。この中間目地プレート９ｂは、左右の躯体側へ突出するように設けられている。
【００３８】
中間目地プレート９ａは最も目地部の外側方向に設けられており、前記端部目地プレート８Ａが最も内側に設けられている。具体的には、一方の躯体３側から、端部目地プレート８Ａ、中間目地プレート９ｂ、中央目地プレート９ａ、中間目地プレート９ｂ、端部目地プレート８Ａの順番で設けられている。
【００３９】
これらの目地プレート８Ａ、９Ａの板厚分だけ階段状となるように重なりあっている。
地震で左右の躯体３、４が左右方向に揺れ動き目地部２が狭くなると、図１０に示すように、左右の端部目地プレート８Ａ及び目地プレート９Ａの中間目地プレート９ｂが目地部２の中央方向に移動して揺れ動きを吸収し、地震による揺れ動きが収まると、元の状態に自動的に戻る。
【００４０】
地震で左右の躯体３、４が左右方向に揺れ動き目地部２が広くなると、図１１に示すように、左左右の端部目地プレート８Ａ及び目地プレート９Ａの中間目地プレート９ｂが離間する方向に移動して揺れ動きを吸収し、地震による揺れ動きが収まると、元の状態に自動的に戻る。
【００４１】
地震で左右の躯体３、４が異なる前後方向に揺れ動くと、図１２に示すように、リンク部材７及びこのリンク部材７Ａに枢支されている、左右の端部目地プレート８Ａと目地プレート９Ａは、前後方向に回動し、その揺れ動きを吸収する。
【００４２】
この時、前記カバー部材１０は、図７に示すように、可動カバー部材１４が固定カバー部材１３の突出端部の内側に入り込んでおり、かつ、当接状態を維持しているため、ヒンジ部材５が露出することないとともに、カバー部材１０が破損等することもなく地震による揺れ動きを吸収することができる。
【００４３】
なお、本発明の実施形態では、本発明の目地装置を壁面間の目地部を覆う壁面用目地装置として用いるものについて説明したが、本発明の目地装置を天井間の目地部を覆う天井用目地装置として用いてもよい。
【００４４】
また、可動カバー部材には、ヒンジ部材のヒンジ部から前記固定カバー部材の突出端部を半径として円を描いた場合の円周の軌跡と略重なるような円弧部を形成しているが、この円弧部の部位を円弧状ではなくその軌跡と近似するような多角形状等に形成してもよく、また、固定カバー部材と干渉せず、かつ、固定カバー部材と可動カバー部材が常時略当接できるような傾斜面状に形成してもよい。
【産業上の利用可能性】
【００４５】
本発明は目地装置を製造する産業で利用される。
【符号の説明】
【００４６】
１、１Ａ：目地装置、                ２：目地部、
３：一方の躯体、                    ４：他方の躯体、
５、５Ａ：ヒンジ部材、              ６：枢支部、
７、７Ａ：リンク部材、              ８、８Ａ：端部目地プレート、
９、９Ａ：目地プレート、            １０：カバー部材、
１１：枢支ピン、                    １２：スプリング、
１３：固定カバー部材、              １４：可動カバー部材、
１５：バー部材。
【図１】
2018031149.tif 000003
【図２】
2018031149.tif 000004
【図３】
2018031149.tif 000005
【図４】
2018031149.tif 000006
【図５】
2018031149.tif 000007
【図６】
2018031149.tif 000008
【図７】
2018031149.tif 000009
【図８】
2018031149.tif 000010
【図９】
2018031149.tif 000011
【図１０】
2018031149.tif 000012
【図１１】
2018031149.tif 000013
【図１２】
2018031149.tif 000014
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
左右の躯体間の目地部を塞ぐ目地装置であって、前記左右の躯体にそれぞれヒンジ部材を介して設けられ、複数個の枢支部を有するリンク部材と、該リンク部材の左右端部の枢支部又は前記ヒンジ部材のいずれかに取り付けられた左右一対の端部目地プレートと、該左右一対の端部目地プレートの間に少なくとも１つ設けられた目地プレートと、前記ヒンジ部材が前記目地部の外方側に露出しないようにカバーするカバー部材とで構成され、前記カバー部材は、前記左右の躯体に設けられた硬質の固定カバー部材と、該固定カバー部材の内方にその可動端部が入り込むように前記左右一対の端部目地プレートにそれぞれ設けられた硬質の可動カバー部材とから成り、前記固定カバー部材は、目地部の中央側へ突出した部分が平板状に形成されているとともに、前記可動カバー部材は、前記固定カバー部材の内方にその可動端部が入り込むように延在し、かつ、そのヒンジ部材を支点に端部目地プレートが回動した場合であっても前記固定カバー部材の内方にその可動端部が入り込んだ状態を維持できる形状に形成されていることを特徴とする目地装置。
【請求項２】
前記可動カバー部材は、少なくともその一部が円弧状に形成されていることを特徴とする請求項１に記載の目地装置。
【請求項３】
前記固定カバー部材及び可動カバー部材は、金属で形成されていることを特徴とする請求項１又は請求項２のいずれかに記載の目地装置。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間の目地部を塞ぐ目地装置に関する。
【背景技術】
【０００２】
従来、天井間や壁面間の目地部を薄板の目地プレートで塞ぐ目地装置としては、「目地部を介して建てられた左右の建物の目地部側躯体にそれぞれヒンジ部材を介して取付けられた一方の目地カバーおよび他方の目地カバーを用いた目地部を伸縮可能に覆う壁用目地装置において、前記一方の目地カバーおよび他方の目地カバーの後端部にそれぞれ取付けられた可動側止水シート受けレールと、この可動側止水シート受けレールと対応する部位の左右の目地部側躯体に取付けられた固定側止水シート受けレールと、この固定側止水シート受けレールと前記可動側止水シート受けレールに両端部がシート押えを用いて取付けられた該固定側止水シート受けレールと可動側止水シート受けレール間の寸法が変化しても吸収することができる長さの止水シートと、前記固定側止水シート受けレールと前記左右の目地部側躯体間に充填されたシール剤とを用いたことを特徴とする壁用目地装置。」が知られている（例えば特許文献１）。
【０００３】
このような目地装置では、左右の躯体にヒンジ部材で固定し、そのヒンジ部材を覆うようにゴム製の止水シート等でシールしている。しかし、このような止水シートは、とても薄いためカッターナイフ等で簡単に切ることができ、目地プレートの取り付け部分が簡単に露出してしまうため、セキュリティに欠点があった。
【０００４】
また、ヒンジ部材をシール剤で覆うことも考えられるが、目地プレートの動きが制限されてしまったり、経年劣化によってヒビ割れ等が生じるという欠点があった。
【先行技術文献】
【特許文献】
【０００５】
【特許文献１】特開２００９−５７６９７公報
【発明の概要】
【発明が解決しようとする課題】
【０００６】
本発明は以上のような従来の欠点に鑑み、目地プレートの動きが制限することなく、目地プレートの取り付け部分を確実に覆うことができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の目地装置は、左右の躯体間の目地部を塞ぐ目地装置であって、前記左右の躯体にそれぞれヒンジ部材を介して設けられ、複数個の枢支部を有するリンク部材と、該リンク部材の左右端部の枢支部又は前記ヒンジ部材のいずれかに取り付けられた左右一対の端部目地プレートと、該左右一対の端部目地プレートの間に少なくとも１つ設けられた目地プレートと、前記ヒンジ部材が前記目地部の外方側に露出しないようにカバーするカバー部材とで構成され、前記カバー部材は、前記左右の躯体に設けられた硬質の固定カバー部材と、該固定カバー部材の内方にその可動端部が入り込むように前記左右一対の端部目地プレートにそれぞれ設けられた硬質の可動カバー部材とから成り、前記固定カバー部材は、目地部の中央側へ突出した部分が平板状に形成されているとともに、前記可動カバー部材は、前記固定カバー部材の内方にその可動端部が入り込むように延在し、かつ、そのヒンジ部材を支点に端部目地プレートが回動した場合であっても前記固定カバー部材の内方にその可動端部が入り込んだ状態を維持できる形状に形成されていることを特徴とする。
【発明の効果】
【０００９】
以上の説明から明らかなように、本発明にあっては次に列挙する効果が得られる。
（１）請求項１に記載の発明においては、ヒンジ部材を覆うカバー部材が設けられているので、目地プレート等を取付けるヒンジ部材が外方に露出することを防止できる。
したがって、常時ヒンジ部材がカバーすることができ、ヒンジ部材を分解することによって目地装置を除去し、目地部の内方に何者かが侵入することを防止でき、セキュリティを向上させることができる。
（２）また、このカバー部材は、左右の躯体に設けられた硬質の固定カバー部材と、固定カバー部材と固定カバー部材の内方にその可動端部が入り込むように前記左右一対の端部目地プレートに設けられた硬質の可動カバー部材とから成り、可動カバー部材は、ヒンジ部材を支点に端部目地プレートが回動した場合であっても固定カバー部材の内方にその可動端部が入り込んだ状態を維持できるので、地震によって左右の躯体が揺れ動き、ヒンジ部材を支点に目地プレート等が回転しても、ヒンジ部材が外部に露出することを防止できるとともに、カバー部材が破損等することを防止することができる。
（３）請求項２に記載の発明においても前記（１）〜（２）の効果を得られるとともに、可動カバー部材は、少なくともその一部が弧状に形成されているため、ヒンジ部材を支点に端部目地プレートが回動した場合であっても固定カバー部材とより隙間なく当接した状態を維持することができる。
（４）請求項３に記載の発明においても前記（１）〜（３）の効果を得られる。
【図面の簡単な説明】
【００１０】
図１乃至図７は本発明の第１の実施形態を示す説明図である。
図８乃至図１２は本発明の第２の実施形態を示す説明図である。
【図１】第１の実施形態の目地装置の正面図。
【図２】図１の２−２線に沿う断面図。
【図３】目地プレート取付端部付近の要部説明図。
【図４】地震で目地部が狭くなった動作説明図。
【図５】地震で目地部が広くなった動作説明図。
【図６】地震で左右の躯体が異なる前後方向に揺れ動いた場合の動作説明図。
【図７】図６の要部拡大説明図。
【図８】第２の実施形態の目地装置の正面図。
【図９】図８の９−９線に沿う断面図。
【図１０】地震で目地部が狭くなった動作説明図。
【図１１】地震で目地部が広くなった動作説明図。
【図１２】地震で左右の躯体が異なる前後方向に揺れ動いた場合の動作説明図。
【発明を実施するための形態】
【００１１】
以下、図面に示す本発明を実施するための形態により、本発明を詳細に説明する。
図１乃至図７に示す本発明を実施するための第１の形態において、１は目地部２を介して設けられた一方の躯体３及び他方の躯体４間に設置された目地装置である。
本実施の形態においては、この目地装置１は左右の躯体３、４の壁面間の目地部を塞ぐ壁面用目地装置として用いられる。
【００１２】
なお、左右方向とは図１における左右方向であり、上下方向とは図１における上下方向をいい、前後方向とは図２における上下方向をいう。目地部の外方とは、躯体の外側壁面方向（図２における下方向）であり、目地部の内方とは、躯体の内側壁面方向（図２における上方向）をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
さらに本発明において略当接したとは、接触している状態だけではなく、わずかに隙間が開いている状態をも指すものである。
【００１５】
この目地装置１は、例えば、図１及び図２に示すように、前記左右の躯体３、４の壁面３ａ、４ａにそれぞれ左右一対のヒンジ部材５を介して設けられ、複数個の枢支部６を有するリンク部材７と、前記ヒンジ部材５にそれぞれ取り付けられた左右一対の端部目地プレート８と、該左右一対の端部目地プレート８の間に設けられた目地プレート９と、前記ヒンジ部材５を覆うカバー部材１０とで構成されている。
【００１６】
前記ヒンジ部材５は、図３に示すように、本実施の形態においては、略アングル状の固定片５ａと、この固定片５ａとヒンジ部５ｂを介して接続された可動片５ｃとで構成されており、この可動片５ｃに前記リンク部材７及び端部目地プレート８が取り付けられる。
本実施の形態においては、目地プレートの高さ寸法と略同寸法の縦長のヒンジ部材５を左右に１つずつ設けているが、高さ寸法の短いヒンジ部材を左右の躯体３、４にそれぞれ複数個設けてもよい。
【００１７】
この可動片５ｃは、本実施の形態においては、先端部が略くの字状に屈曲しており、この屈曲した部位に前記端部目地プレート８が固定される。
【００１８】
なお、可動片５ｃの先端部は、カギ状、円弧状、傾斜面状に形成してもよい。
左右一対の端部目地プレート８は、本実施の形態においては、金属製の薄板で、取付端部８ａが屈曲しており、この部位が前記ヒンジ部材５に溶接、ボルト止等で固定される。
また、端部目地プレート８の突出端部８ｂは、前記目地プレート９の左右部位と互いにスライド可能に重なりあっている。地震によって左右の躯体３、４が揺れ動き、目地部が狭くなった場合であっても、端部目地プレート８の突出端部８ｂ同士が衝突しない程度の長さ寸法に形成されている。
【００１９】
この端部目地プレート８の取付端部８ａ付近には、後述する前記カバー部材１０が設けられており、かつ、ヒンジ部材５が目地部２の外方側に露出しないように略隙間なくカバーしている。このようにヒンジ部材５をカバーすることにより、ヒンジ部材５を分解して目地プレート等を外し、目地部の内方に何者かが侵入することを防止できる。
【００２０】
前記リンク部材７は、複数個の枢支部６を有するパンタグラフ状に形成されており、本実施の形態においては、上下に２つ設けられている。このリンク部材７の左右端部は、前記ヒンジ部材５の可動片５ｃに溶接、ボルト止等で固定されている。
また、このリンク部材７の中央部位の枢支部６には、枢支ピン１１によって目地プレート９が枢支されている。
【００２１】
前記目地プレート９は、金属製の薄板で、その左右部位は、前記端部目地プレート８の突出端部８ｂと重なり合っており、地震によって左右の躯体３、４が揺れ動き、目地部が広くなった場合であっても、前記端部目地プレート８と重なっている状態を維持できる程度の長さ寸法に形成されている。
【００２２】
この目地プレート９は前記左右の端部目地プレート８よりも前方（目地部２の外側）に位置する状態で前記左右の端部目地プレート８と重なり合っており、目地プレート９と左右の端部目地プレート８に常時当接するように、前記枢支ピン１１の後部側（目地部２の内側方向）に設けられたスプリング１２によって、常時目地部２の内側方向へ付勢されている。
【００２３】
カバー部材１０は、図３に示すように、左右の躯体３、４の壁面に固定された金属製の固定カバー部材１３と、該固定カバー部材１３の突出端部と略当接するように端部目地プレートの取付端部付近に設けられた金属製の可動カバー部材１４とで構成されている。
この固定カバー部材１３及び可動カバー部材１４は、本実施の形態においては金属で形成しているが、硬質の樹脂（エンジニアプラスチック等）を用いてもよい。
【００２４】
前記固定カバー部材１３は、薄板でアングル状に形成されており、突出端部が目地部２の中央側へ突出している。この突出端部は、本実施の形態においては、前記可動カバー部材１４と当接状態となっている。
【００２５】
前記可動カバー部材１４は、薄板で、その取付端部１４ａは、前記端部目地プレート８の取付端部８ａ付近に固定されている。
【００２６】
また、可動カバー部材１４は、その突出端部１４ｂが固定カバー部材１３の内方にその可動端部が入り込むように延在しており、その突出端部１４ｂは弧状に形成されている。この突出端部１４ｂは前記固定カバー部材１３の内方に入りこんだ状態で当接している。
本実施の形態においては、この円弧状の突出端部１４ｂは、図３に示すように前記ヒンジ部材５のヒンジ部５ｂから前記固定カバー部材１３の突出端部を半径として円を描いた場合の円周の軌跡Ｌと略重なるような円弧に形成している。
【００２７】
このような円弧とすることで、ヒンジ部５ｂを支点に端部目地プレート８等が回転した場合であっても、可動カバー部材１４は固定カバー部材１３の内方に入りこんだ状態で当接状態を維持できる。
【００２８】
地震で左右の躯体３、４が左右方向に揺れ動き目地部２が狭くなると、図４に示すように、左右の端部目地プレート８が目地部２の中央方向に移動して揺れ動きを吸収し、地震による揺れ動きが収まると、元の状態に自動的に戻る。
【００２９】
地震で左右の躯体３、４が左右方向に揺れ動き目地部２が広くなると、図５に示すように、左右の端部目地プレート８が離間する方向に移動して揺れ動きを吸収し、地震による揺れ動きが収まると、元の状態に自動的に戻る。
【００３０】
地震で左右の躯体３、４が異なる前後方向に揺れ動くと、図６に示すように、左右の端部目地プレート８、リンク部材７及びこのリンク部材７に枢支されている目地プレート９は、前後方向に回動し、その揺れ動きを吸収する。
【００３１】
この時、前記カバー部材１０は、図７に示すように、可動カバー部材１４の円弧状の突出端部１４ｂが固定カバー部材１３の突出端部の内方に入りこみ当接状態を維持しているため、ヒンジ部材５が外方に露出することないとともに、カバー部材１０が破損等することもなく地震による揺れ動きを吸収することができる。
【００３２】
[発明を実施するための異なる形態]
次に、図８乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３３】
図８乃至図１２に示す本発明を実施するための第２の形態において、前記本発明を実施するための第１の形態と主に異なる点は、両端部に固定されたヒンジ部材５Ａを介して左右の躯体３、４にパンタグラフ状のリンク部材７Ａを設けるとともに、このパンタグラフ状のリンク部材７Ａの左右端部の枢支部６にクランク状の端部目地プレート８Ａを固定し、この左右の端部目地プレート８Ａの間に複数個、本実施の形態においては、３個の目地プレート９Ａを設けた点で、このような目地装置１Ａにしても、前記本発明を実施するための第１の形態と同様の作用効果を得ることができる。
なお、本実施の形態においては、可動カバー部材１４の全体が円弧状に形成されている。
【００３４】
前記端部目地プレート８Ａは、略クランク状に形成されており、その取付端部付近には、カバー部材１０の可動カバー部材１４が固定されている。この端部目地プレート８Ａは目地部２の中央側へ突出するように設けられている。
【００３５】
前記目地プレート９Ａは、リンク部材７Ａの中央の枢支部６に設けられた金属製で薄板の中央目地プレート９ａと、該中央目地プレート９ａと前記端部目地プレート８Ａの間に設けられた金属製で薄板の中間目地プレート９ｂとで構成されている。
【００３６】
前記中央目地プレート９ａは、前記リンク部材７Ａの中央の枢支部６に、上下方向に延伸するバー部材１６を介して固定されており、略Ｔ字状に形成されている。
【００３７】
前記中間目地プレート９ｂは、前記リンク部材７Ａの中間枢支部６に、上下方向に延伸するバー部材１５を介して固定されており、略クランク状に形成されている。この中間目地プレート９ｂは、左右の躯体側へ突出するように設けられている。
【００３８】
中間目地プレート９ａは最も目地部の外側方向に設けられており、前記端部目地プレート８Ａが最も内側に設けられている。具体的には、一方の躯体３側から、端部目地プレート８Ａ、中間目地プレート９ｂ、中央目地プレート９ａ、中間目地プレート９ｂ、端部目地プレート８Ａの順番で設けられている。
【００３９】
これらの目地プレート８Ａ、９Ａの板厚分だけ階段状となるように重なりあっている。
地震で左右の躯体３、４が左右方向に揺れ動き目地部２が狭くなると、図１０に示すように、左右の端部目地プレート８Ａ及び目地プレート９Ａの中間目地プレート９ｂが目地部２の中央方向に移動して揺れ動きを吸収し、地震による揺れ動きが収まると、元の状態に自動的に戻る。
【００４０】
地震で左右の躯体３、４が左右方向に揺れ動き目地部２が広くなると、図１１に示すように、左左右の端部目地プレート８Ａ及び目地プレート９Ａの中間目地プレート９ｂが離間する方向に移動して揺れ動きを吸収し、地震による揺れ動きが収まると、元の状態に自動的に戻る。
【００４１】
地震で左右の躯体３、４が異なる前後方向に揺れ動くと、図１２に示すように、リンク部材７及びこのリンク部材７Ａに枢支されている、左右の端部目地プレート８Ａと目地プレート９Ａは、前後方向に回動し、その揺れ動きを吸収する。
【００４２】
この時、前記カバー部材１０は、図７に示すように、可動カバー部材１４が固定カバー部材１３の突出端部の内側に入り込んでおり、かつ、当接状態を維持しているため、ヒンジ部材５が露出することないとともに、カバー部材１０が破損等することもなく地震による揺れ動きを吸収することができる。
【００４３】
なお、本発明の実施形態では、本発明の目地装置を壁面間の目地部を覆う壁面用目地装置として用いるものについて説明したが、本発明の目地装置を天井間の目地部を覆う天井用目地装置として用いてもよい。
【００４４】
また、可動カバー部材には、ヒンジ部材のヒンジ部から前記固定カバー部材の突出端部を半径として円を描いた場合の円周の軌跡と略重なるような円弧部を形成しているが、この円弧部の部位を円弧状ではなくその軌跡と近似するような多角形状等に形成してもよく、また、固定カバー部材と干渉せず、かつ、固定カバー部材と可動カバー部材が常時略当接できるような傾斜面状に形成してもよい。
【産業上の利用可能性】
【００４５】
本発明は目地装置を製造する産業で利用される。
【符号の説明】
【００４６】
１、１Ａ：目地装置、                ２：目地部、
３：一方の躯体、                    ４：他方の躯体、
５、５Ａ：ヒンジ部材、              ６：枢支部、
７、７Ａ：リンク部材、              ８、８Ａ：端部目地プレート、
９、９Ａ：目地プレート、            １０：カバー部材、
１１：枢支ピン、                    １２：スプリング、
１３：固定カバー部材、              １４：可動カバー部材、
１５：バー部材。